(57)【要約】【課題】 手首や指を自由に動かすことが未熟な幼児や障害者が容易に使用することができて、歯ブラシやスプーンをくわえたままで転倒しても負傷事故が起きにくい安全な日常生活用具のパームグリップ用握柄を提供する。【解決手段】  日常生活用具の握柄が球体であれば、使用中の日常生活用具の向きがどのような向きに変わっても、握柄の形状は方向性のない球体のままである。該球体をパームグリップで把持することによって、指先や手首に障害のある高齢者や指先の機能が未発達の幼児が、日常生活用具を容易に操作できるようになる。幼児が日常生活用具をくわえたまま転倒しても、球体から日常生活用具の先端までの長さが、咽頭部には届かない長さにしてあるため、のど突き事故を防止することができる。【選択図】図１
2018175129.tif 000002
【特許請求の範囲】
【請求項１】
物体の両端を結ぶ線を基準線と定義するとき、該基準線の一端側に歯ブラシやスプーンなどの機能部を配設し、首部を介して他端側に握柄を配設する口腔生活用具において、基準線上または該基準線の近傍に中心を有し、かつ幼児用や成人用のパームグリップに適合する径の球体の握柄を形成し、少なくとも幼児用においては基準線の機能部側の先端から球体までの長さを、幼児の口元から咽頭部や咽喉部に達し得ない長さとなるように構成することを特徴とするパームグリップ型口腔生活用具。
【請求項２】
機能部から首部を介して連結部を形成し、外力で変形しにくい難変形の機能部材と、連結部と球体の握柄を形成し、外力によって容易に変形する易変形の握柄部材と、で双方の部材の連結部を連結一体化して構成することを特徴とする請求項１に記載のパームグリップ型口腔生活用具。
【請求項３】
水平な面に置かれる口腔生活用具の基準線の傾きが、水平乃至垂直になるように全体重心を配設したことを特徴とする請求項１に記載のパームグリップ型口腔生活用具。
【請求項４】
球体に係止手段を配設する握柄部材と、該係止手段に機能部材として係止される公知の口腔生活用具と、が着脱自在に係止一体化して構成することを特徴とする請求項１に記載のパームグリップ型口腔生活用具。
【発明の詳細な説明】
【技術分野】
【０００１】
本発明はとりわけ身体機能に障害のあるひとにとって操作性にすぐれており、さらには幼児が歯ブラシまたはスプーンを口にくわえたまま転倒して口腔内やのどの奥を負傷する事故を防止することをかね備える安全な口腔生活用具に関する。
【背景技術】
【０００２】
歯ブラシまたはスプーンなどの手で使用する口腔生活用具は、長い柄の先端に機能部を設けてあるのが一般的である。例えば公知の口腔生活用具の一例として複雑な操作を要する歯ブラシ（図１１参照）を例にすると、歯ブラシの機能を満足するには大きく分けて三つの要素を満たさなければならない。
一つめは握柄２Ａを把持し機能部３Ａに任意の加圧力を伝達する要素であり、二つめは加圧する力の向きを変える要素、三つめは歯面を研磨するための研磨運動の要素である。
機能部と握柄の両端部を結ぶ直線を基準線FLと定義して説明すると、この三つの要素を満たすために、人の手は３次元空間に任意の向きで存在する１次元の基準線FLに対して、以下の働きかけを行っている。
【０００３】
歯ブラシの首に形成される指当て突起部２２を親指と人差し指で把持し、握柄自由端を小指の付け根近辺で支持し、加圧の反作用によって基準線FLの向きをねじる方向に作用するモーメントに抗して、任意の加圧力を機能部３Ａに伝達する。
奥歯の左右側面と上下面、前歯の前面と背面を磨くため、健常者は無意識のうちに歯ブラシをフィンガーグリップで把持し、親指と人差し指の指先で基準線FLを軸心として転がしながら、歯ブラシの向きを３６０度任意の方向に向けたり、手首の曲げや捻り動作で基準線FLの傾きを変えたりして加圧する力の向きを変える。
前記基準線FLの軸線に平行な往復動作、あるいは該軸線に直角方向の往復動作、基準線ＦＬ両端部の平面上での繰り返し円運動動作などの研磨運動を、主として肩と肘の曲げ動作によって機能部３Ａに伝達する。
【０００４】
前記するように基準線FLを操作するには、少なくとも肩と肘と手首および指先の曲げ動作、肘から手首にかけての捻り動作、親指と人差し指による把持力と指先操作が必要で、このなかのひとつの条件が欠けても、前記する三つの要素を満たすことは難しくなる。とりわけフィンガーグリップで把持が難しい障害者や老人、指先の機能が未発達の幼児にとって口腔生活用具の使用に困難をきたすことが多い。公知の歯ブラシの首に形成される指当て突起部２２は、前記するとおり基準線ＦＬの軸心に対して３６０度の稼動範囲が必要であるにもかかわらず、断面矩形の一方向だけにしか形成されておらず、前記軸心の向きによっては使いづらくなるので機構上不完全な器具である。
【０００５】
そこで、口腔生活用具を握持・操作しやすくする方法の一例として、握柄の中間部又は先端寄りに、下方に向かって突出する指掛部を設け、指掛部にグリップ部材を着脱自在に圧入装着したスプーンの握柄が提案されている(特許文献１参照)。しかし、スプーンの指賭部とすくい部は固定された位置関係であるため、すくい部の向きを水平に保つためには、肘から先の捻り動作や手首の曲げ動作が可能な身体であることが前提条件になっており、かつ握柄が特殊な形状のスプーンを新たに製造しなければならない。
【０００６】
グリップの横に穴又は切り込みを形成し、この穴又は切り込みに食事器具や口腔衛生器具の柄を差し込んで、グリップと柄を直角に近い方向に保持した食事器具や口腔衛生器具を保持するグリップが公知である(特許文献２参照)。しかし、それぞれの使用者に適合するよう、事前にグリップに対して柄の角度を調節する作業を必要とし、部品数の多い構造の複雑なものであり、洗浄作業が困難で容易に衛生を保って管理することが難しくいずれも十分なものとはいえない。
【０００７】
平成２９年２月１５日付けの消費者庁の発表によると、歯ブラシをくわえたまま転倒し喉を突くなどの事故情報が医療機関ネットワークに寄せられており、平成２２年１２月から平成２８年１２月末までに、６歳以下の事故情報が１３９件報告され、そのうち３歳以下で１７１件となっている、として注意を喚起している。
【０００８】
スプーン、歯ブラシなど口腔生活用具には、本来の機能目的以外に、誤って口腔内の奥やのどに進入させることを防止するという安全性が要求される。このため特殊な形状を有する歯ブラシが開発されており、例えば次の技術が知られている。
【０００９】
把持部本体の中間部に、皿状に形成された鍔片を有し、該鍔片は着脱自在であり、かつブラシ部方向にのみ抜くことができる手段を施した乳児用歯ブラシ（特許文献３参照）。  しかしながらブラシの侵入は確かに防止しても該鍔片が前歯に衝突した場合には事故を防げない可能性がある。
【００１０】
柄部の前面側または後面側の特定位置に、特定形状のプレートを形設し、プレートによって歯ブラシが口腔内の奥やのどに進入することが防止し、幅の広いプレートに親指を乗せることができる幼児用歯ブラシ（特許文献４参照）。この場合も前記同様、ブラシの侵入を防止してもプレートが前歯に衝突した場合には事故を防げない可能性がある。
【００１１】
歯ブラシの把持用グリップ部をクローバー状に形成して、口中には絶対入ることのない大きさにし、該グリップ部の把持部の対象の位置で該部と同じ平面上に、口中咽頭部や咽喉部には届かない長さのブラシヘッドを設け、その頭部にブラシ毛を植毛した幼児用歯ブラシ（特許文献５参照）。この場合も前記同様、ブラシの侵入を防止してもプレートが前歯に衝突した場合には事故を防げない可能性がある。
【００１２】
なおかつ、これら3件の幼児用歯ブラシは転倒事故の際に、基準線ＦＬに平行な力で喉を突く事故に対策するものであるが、基準線ＦＬに斜め方向の力で衝突する場合もある（図９参照）。該斜め方向の力が加えられると、該衝突部が力点、歯が支点となる てこの原理 によって作用点の口腔内および歯の支点に寸法Ｌｂを分母、寸法Ｌａを分子とする比率で過大なモーメントが発生し、口腔内を損傷したり歯を折ったりする  こじり事故  への対策にはなっておらず、十分なものとは言えない。また幼児の手の把持力は出生直後から強いものであるが、指先の機能は未発達であり、公知の歯ブラシにおいては正しい使い方 に慣れさせるための効果は認められても、歯磨き作業で得られる虫歯予防の実効性は乏しい。従って乳幼児に限らず親が仕上げ磨きの作業を行う場合が多い。
【先行技術文献】
【特許文献】
【００１３】
【特許文献１】実公平７−４１４２０号公報
【特許文献２】特開２００２−８５４８６号公報
【特許文献３】実開昭５７−１６２７３２
【特許文献４】特開平１１−７５９３７
【特許文献５】実登３０３４５８０
【発明の概要】
【発明が解決しようとする課題】
【００１４】
本発明が解決しようとする課題は、歯ブラシやスプーンの持ち方や操作方法を検証し、手首や指を自由に動かすことが未熟な幼児、フィンガーグリップの機能の低下した老人や障害者であっても、容易に使用することが可能で、かつ幼児がおしゃぶり的に使用することが多い口腔生活用具において、くわえたまま転倒しても負傷事故が起きにくい安全で、安価に製造可能な口腔生活用具を提供しようとするものである。
【課題を解決するための手段】
【００１５】
請求項１では、物体の両端を結ぶ線を基準線と定義するとき、該基準線の一端側に歯ブラシやスプーンなどの機能部を配設し、首部を介して他端側に握柄を配設する口腔生活用具において、基準線上または該基準線の近傍に中心を有し、かつ幼児用や成人用のパームグリップに適合する径の球体の握柄を形成し、少なくとも幼児用においては基準線の機能部側の先端から球体までの長さを、幼児の口元から咽頭部や咽喉部に達し得ない長さとなるように構成することを特徴とするパームグリップ型口腔生活用具とした。
【００１６】
請求項２では、機能部と首部を介して連結部とを形成し、外力で変形しにくい難変形の機能部材と、連結部と球体の握柄とを形成し、外力によって容易に変形する易変形の握柄部材と、で双方の部材の連結部を連結一体化して構成するパームグリップ型口腔生活用具とした。
【００１７】
請求項３では、水平な面に置かれる口腔生活用具の基準線の傾きが、水平乃至垂直になるように全体重心を配設したパームグリップ型口腔生活用具とした。
【００１８】
請求項４では、球体に係止手段を配設する握柄部材と、該係止手段に機能部材として係止される公知の口腔生活用具と、が着脱自在に係止一体化して構成するパームグリップ型口腔生活用具とした。
【発明の効果】
【００１９】
請求項１において、幼児用や成人用のパームグリップに適合する径の球体を形成して握柄に配設したので、身体能力としてフィンガーグリップの機能が低下していても、パームグリップが可能であれば口腔生活用具の握柄を把持することができる。例えば歯ブラシを使用する場合、３次元の空間で１次元の基準線の傾きや該基準線の軸心に対する機能部の向きが３６０度どのような向きに変化しても、把持部の形状が方向性のない球体であることに変わりがなく、手首を曲げたり捻ったりすることなく、パームグリップのままで基準線に任意の加圧力を伝達し、加圧する力の向きを変え、さらに歯面を磨く研磨動作を伝達する三つの要素を満足することができる効果がある。事前にグリップに対して柄の角度を調節する作業を必要とせず、他の構成部品も必要としない単純な構造と形状であり、洗浄作業や衛生管理が容易である。
【００２０】
機能部への加圧の反作用によって生じる手首の捻り方向のモーメントは、球体の中心を通過するモーメントとして作用し、該球体球面を把持する指と手の掌の接触部全体に分散して作用するので、指先の力が弱っていても、手の掌にボールを包み込むように握るパームグリップによって該捻り方向のモーメントを吸収し、機能部が必要とする任意の力を伝達する効果がある。一部の指先を動かせる障害者や老人の場合は従来通り指先で握柄の球体を転がせば、機能部の向きを変えられる。指先が不自由だったり、手首を曲げたりねじることが難しい障害者や老人の場合は、歯ブラシを口にくわえたまま、肘を外側に持ち上げる動作で球体握柄を把持しなおす動作を繰り返すことにより、機能部の向きを変えることができる。従って、パームグリップが可能で、かつ肩と肘さえ動かせれば、指先や手首の曲げおよび手首の捻り機能に障害がある場合でも、機能部を任意の方向に向きや傾きを変えて、歯磨き動作を伝達できるようにする効果がある。
【００２１】
請求項１において、少なくとも幼児用においては機能部の先端から球体までの長さを、幼児の口元から咽頭部や咽喉部に達し得ない長さとなるように配設したので、おしゃぶり的に口にくわえたまま転倒しても球体の握柄が歯ブラシの進入を阻止し、幼児ののど突き事故を防止できる（図９参照）。従来の歯ブラシと同じように基準線ＦＬに斜め方向の力Ｆが加えられる場面でも、握柄の球面がさきに口の周辺に衝突してしまうので、てこの力点の負荷が消滅して、口腔や歯を折損する  こじり事故  の可能性をなくす効果がある。球体は他のいかなる形状の物体よりも薄い肉厚で高い機械強度を保つことができる特性を有するため、球体の肉厚は極限まで薄くして軽量化することができる効果がある。
【００２２】
請求項２において外力で変形しにくい難変形の機能部材と、外力によって容易に変形する易変形の握柄部材とを連結部で連結一体化するので、幼児用においては機能部材と握柄部材の素材を異なる材質で構成し、例えば握柄部材を硬度の低いゴム素材を用いるなどして、握柄の強度を満足しつつ球体が衝突の衝撃により容易に変形するような強度のバランスを両立させることにより、幼児が口腔生活用具を口にくわえたまま転倒して球体が顔や歯を直撃しても、球体自体の変形エネルギーとして衝撃エネルギーを吸収し、衝突の衝撃から顔や歯を守る効果がある。
【００２３】
請求項３において、水平な面に置かれる口腔生活用具の基準線の傾きが、水平乃至垂直になるように全体重心を配設したので、口腔生活用具を棚やテーブルに置くとき、機能部がテーブルに触れない状態を維持できるので衛生的であり、棚やテーブル上で転がり動いたりしないので整理収納しやすくなる効果がある。
【００２４】
請求項４において、球体に係止手段を配設する握柄部材と、該係止手段に機能部材として係止される公知の口腔生活用具と、が着脱自在に係止一体化して構成するので、単純な構造でありながら握柄と口腔生活用具の取り付け角度を個々の使用者に応じてあらかじめ調節する必要がなく、取り付けや取り外しの工具も必要としない。握柄の形状が特殊な専用の口腔生活用具を製造する必要もなく、フィンガーグリップに支障をきたした障害者や高齢者が毎日の生活で使用することが出来る効果がある。
【図面の簡単な説明】
【００２５】
【図１】本発明の実施例１の側面図（ａ）と正面図（ｂ）である。
【図２】本発明の実施例２の機能部材の側面部分断面図（ａ）と握柄部材の側面部分断面図（ｂ）である。
【図３】本発明の実施例２の図２の機能部材と握柄部材を連結一体化する側面図である。
【図４】本発明の実施例３の機能部材の正面図（ａ）と握柄部材の側面断面図（ｂ）である。
【図５】本発明の実施例３の図４の機能部材と握柄部材を連結一体化する正面図である。
【図６】本発明の実施例４の公知の口腔生活用具が握柄部材に係止される状態を示す、側面断面図である。
【図７】本発明の実施例４の公知の口腔生活用具が握柄部材に係止される状態を示す、平面断面図である。
【図８】本発明の実施例４の図７のＺ-Ｚ断面で、係止板と公知の口腔生活用具の握柄を拡大して示す断面図である。
【図９】公知の口腔生活用具を使用時の幼児頭部断面の説明図である。
【図１０】本発明の口腔生活用具を使用時の幼児頭部断面の説明図である。
【図１１】公知の口腔生活用具を示す説明図である。
【発明を実施するための形態】
【００２６】
以下、本発明の実施の形態を図面に基づいて説明する。なお、本発明は、以下の例に限定されるものではなく、本発明の要旨を逸脱しない範囲で任意に変更可能である。
【実施例１】
【００２７】
図１はパームグリップ型口腔生活用具の実施例１である。握柄２の球面SSから延出する首部６の先に機能部３がポリプロピレンなどの合成樹脂により一体に形成されている。機能部３には天然毛または化学合成フィラメントの植毛３１が施されて歯ブラシとしての機能を付与される。握柄２の球体Ｓはガスインジェクション成形などにより内部に空洞ＳＣを設けて薄く成形し軽量化することができる。球面SSには滑り止めの凹凸模様を形成してもよい。また滑り止めや装飾効果のため複数の素材で成形することもあり得る。
【００２８】
口腔生活用具の使用者が側面図（ａ）の矢印Ｆ方向から加圧して歯を磨くとき、機能部の中心FCに作用する加圧による反作用の力は、球の中心Ｔから機能部の中心FCまでの距離Ｌ２の長さに比例するモーメントとして、握柄の球面を回転させようとする力になる。該力の大きさは、球体の直径Ｄを分母とし距離Ｌ２を分子とする値に比例するので、軽い筋力で歯を磨くためには可能な範囲で直径Ｄは大きいほうが好ましく、成人男性でおよそ６０乃至８０ｍｍほどが使いやすい。
【００２９】
機能部の先端から球面SSまでの距離Ｌ１は、幼児の口元から咽頭部や咽喉部に達し得ない長さとなるよう、距離Ｌ１は好ましくは５０ｍｍを越えないようにする。乳幼児においてはおしゃぶり的に使用される前提で洗浄しやすく衛生を保ちやすい構造と材質にすることが好ましい。成人用の歯ブラシにおいても前記するように軽い筋力で歯を磨くためにも、距離L１は６０ｍｍほどに抑えることが好ましい。なおスプーンなどの食器の場合、使用時の該モーメントは十分に小さいので距離L１は６０ｍｍ以上にしても問題ない。
【実施例２】
【００３０】
図２はパームグリップ型口腔生活用具の実施例２である。図２の図（ａ）が外力で変形しにくい難変形の機能部材８で、図（ｂ）は外力によって容易に変形する易変形の握柄部材７であり、連結前の状態を示す。ポリプロピレンなどの材質で成形される機能部材７の機能部３には植毛３１が施されて歯ブラシとしての機能を付与される。  連結部９には雌ネジ部９２が形成されている。握柄部材７はポリエチレンテレフタラートなどの合成樹脂によるブロー成形で、肉厚０．３ｍｍほどに作られており、連結部９には雄ネジ部９１が形成されている。球体の空洞ＳＣには砂または装飾効果を兼ねるビーズが開口部９０から充填されて錘５として機能する。図３は図２の雄ネジ部９１を雌ネジ部９２にねじ込み機能部材８を握柄部材７に螺合連結した状態を示す。砂やビーズの錘5は球体の下方側に移動した位置に重心を形成するため、口腔生活用具１は設置時の機能部を上にする図の姿勢を維持し続けることができる。設置した面に機能部が触れないので衛生が保たれる効果があり、かつ設置面上で口腔生活用具の球面が転がり動いたりすることがなくなる。連結手段としては図示する方法のほかにも、インサート成形や接着等で連結する方法もあり得るが、本件の要旨を越えるものではない。球体内部に正圧のガスを充填し、球面に張力を発生させることによって握柄としての強度と、外力で変形し易くするバランスを調整する方法もあり得るが、本件の要旨を越えるものではない。
【実施例３】
【００３１】
図４はパームグリップ型口腔生活用具の実施例３である。図３の図（ａ）が外力で変形しにくい難変形の機能部材８で、図（ｂ）は外力によって容易に変形する易変形の握柄部材７であり、連結前の状態を示す。機能部材７の機能部３にはすくい部３２が形成されてスプーンとしての機能を付与される。連結部９には嵌挿軸９３と返し部９５が形成されている。握柄部材７の連結部９には嵌挿穴９４を形成する。図５は図４の嵌挿軸９３を嵌挿穴９４に嵌挿して機能部材８を握柄部材に連結する状態を示す。嵌挿軸９３には図示しないエア抜き穴が設けられて、嵌挿穴９４の内部の空気を逃がしながら嵌挿する。握柄部材８をゴム製とし、転倒時に幼児の歯に作用する衝撃を軽くする効果を持たせる。機能部の先端から球面SSまでの距離Ｌ１は、幼児の口元から咽頭部や咽喉部に達し得ないよう、好ましくは５０ｍｍ以下に規定する。連結手段としては図示する方法のほかにも、機能部材７に逆球面の凹部を形成して接着連結する方法もあり得るが、本件の要旨を越えるものではない。
【実施例４】
【００３２】
図６はパームグリップ型口腔生活用具の実施例４である。公知の口腔生活用具１Ａを握柄部材７に係止連結する状態を示す側面断面図である。握柄部材７の球体Sは薄いＳＵＳ３０４など耐蝕性金属の半球体Ｓ１と半球体Ｓ２に嵌合部Ｓｗを設けて溶接等にて固着一体化している。半球体Ｓ１には係止手段として係止板４０を溶着し、半球体Ｓ２には係止手段の圧縮バネ４２の座巻き内径部に遊挿する４箇所の舌片Ｓ２ｆを設ける。圧縮バネ４２の係止板４０側座巻き内径部にはハット型部材４１を遊嵌する。該ハット型部材４１の開口側にフランジ部４１ｆを設け底部側に直径Ｄ１（図７参照）の穴が形成されており、公知の口腔生活用具１Ａを握柄部材７に係止連結する前は、圧縮バネ４２の押圧によりフランジ部４１ｆが半球体Ｓ１の内壁に押し付けられた状態で静止している。係止板４０にはアリ溝傾斜面４０ｊ（図８参照）が形成される係止穴４０ｈが設けられている。
【００３３】
公知の口腔生活用具１Ａを係止穴４０ｈから挿入すると、握柄の先端部がハット型部材４１の直径Ｄ１の穴に当接し、さらに図７の２点鎖線の位置まで圧縮バネ４２の力に抗しながらで矢印Ｆの方向に挿入する。握柄２Ａの幅が次第に減少して握柄２Ａの幅Ｖ（図８の２点鎖線）がアリ溝の幅Ｗよりも小さくなるところで、握柄の断面で表示するアリ溝側に移動させる。前記アリ溝側に移動したあとで挿入する力を緩めると握柄２Ａの幅がアリ溝の幅Ｗよりも大きくなる位置に圧縮バネ４２で押し戻されるため、アリ溝傾斜面４０ｊに公知の口腔生活用具１Ａが係止拘束される。
公知の口腔生活用具１Ａの係止連結を解除するには、再び図７の２点鎖線の位置まで圧縮バネ４２の力に抗する力で矢印Ｆの方向に押圧し、図８の２点鎖線の位置まで握柄２Ａを移動させて係止を解除する。錘５に雌ネジを設けて半球体Ｓ２に小ネジ５１で固定する。錘５の作用でテーブル上でも図６のバランスを保つことができるので、一度テーブルに置いた後でも、再び手にしやすくかつ衛生上も好ましい。半球体Ｓ１、Ｓ２には図示しない多数の抜き穴が装飾効果を兼ねて設けてあり、洗浄やすすぎ洗いの際の流体の流入と流出経路は十分に確保されている。従って介護施設等で煮沸消毒や洗浄、乾燥などの作業は他の口腔生活用具と同時に行うことができる構造である。
【産業上の利用可能性】
【００３４】
球体握柄の内部に視覚効果や音響効果の手段を配設し、玩具としての機能を付与することもあり得る。球体握柄の内部に計測器を内蔵して体温や血流を計測する健康器具類に応用できる。
【符号の説明】
【００３５】
１、１Ａ  パームグリップ型口腔生活用具
２、２Ａ  握柄
２２  指当て突起部
３、３Ａ  機能部
３１  植毛
３２  すくい部
４  係止部
４０  係止板
４０ｈ  係止穴
４０ｊ  アリ溝傾斜面
４１  ハット型部材
４１ｆ  フランジ部
４２  圧縮バネ
５  錘
５１  小ネジ
６、６Ａ  首部
７  握柄部材
８  機能部材
９  連結部
９０  開口部
９１  雄ネジ部
９２  雌ネジ部
９３  嵌挿軸
９４  嵌挿穴
９５  返し部
Ｄ、Ｄ１直径
FL  基準線
ＦＬ２  多端側
ＦＬ３  一端側
FC  機能部の中心
Ｆ  矢印
Ｌ１、Ｌ２  距離
S  球体
Ｓ１、Ｓ２  半球体
Ｓ１ｈ  開口部
ＳＣ  空洞
SS  球面
Ｓｗ  嵌合部
T 球の中心
Ｖ  幅
Ｗ  幅
【図１】
2018175129.tif 000003
【図２】
2018175129.tif 000004
【図３】
2018175129.tif 000005
【図４】
2018175129.tif 000006
【図５】
2018175129.tif 000007
【図６】
2018175129.tif 000008
【図７】
2018175129.tif 000009
【図８】
2018175129.tif 000010
【図９】
2018175129.tif 000011
【図１０】
2018175129.tif 000012
【図１１】
2018175129.tif 000013
【手続補正書】
【提出日】平成29年5月20日(2017.5.20)
【手続補正１】
【補正対象書類名】特許請求の範囲
【補正対象項目名】全文
【補正方法】変更
【補正の内容】
【特許請求の範囲】
【請求項１】
物体の両端を結ぶ線を基準線と定義するとき、該基準線の一端側に歯ブラシやスプーンなどの機能部を配設し、首部を介して他端側に握柄を配設する日常生活用具であり、大別して成人男性用、成人女性用、学齢児童用、幼児用の異なる対象世代に異なる大きさで作られる日常生活用具において、基準線上または該基準線の近傍に中心を有し、異なる対象世代の手の大きさの平均値に比例する直径の球体の握柄を形成し、少なくとも幼児用において機能部の先端から球体までの長さを、幼児の口元から咽頭部に達し得ない長さとなるように構成することを特徴とする日常生活用具のパームグリップ用握柄。
【請求項２】
直径が手長の平均値の略２９乃至４３％の直径の球体の握柄とすることを特徴とする請求項１に記載の日常生活用具のパームグリップ用握柄。
【請求項３】
機能部を形成する機能部材と、握柄を形成する握柄部材と、を連結手段で着脱自在に連結一体化して構成することを特徴とする請求項１に記載の日常生活用具のパームグリップ用握柄
【請求項４】
球体の内部に錘を配設することを特徴とする請求項１に記載の日常生活用具のパームグリップ用握柄。
【請求項５】
外力で変形しにくい難変形の機能部材と、外力によって容易に変形する易変形の握柄部材と、を連結一体化して構成することを特徴とする請求項３に記載の日常生活用具のパームグリップ用握柄。
【手続補正２】
【補正対象書類名】明細書
【補正対象項目名】全文
【補正方法】変更
【補正の内容】
【発明の詳細な説明】
【技術分野】
【０００１】
本発明はとりわけ身体機能に障害のあるひとにとって操作性にすぐれており、さらには幼児が歯ブラシまたはスプーンを口にくわえたまま転倒して口腔内やのどの奥を負傷する事故を防止することをかね備える安全な日常生活用具のパームグリップ用握柄に関する。
【背景技術】
【０００２】
歯ブラシまたはスプーンなどの手で使用する日常生活用具は、長い柄の先端に機能部を設けてあるのが一般的である。例えば公知の日常生活用具の一例として複雑な操作を要する歯ブラシ（図１１参照）を例にすると、歯ブラシの機能を満足するには大きく分けて三つの要素を満たさなければならない。
一つめは握柄２Ａを把持し機能部３Ａに任意の加圧力を伝達する要素であり、二つめは加圧する力の向きを変える要素、三つめは歯面を研磨するための研磨運動の要素である。
機能部と握柄の両端部を結ぶ直線を基準線FLと定義して説明すると、この三つの要素を満たすために、人の手は３次元空間に任意の向きで存在する１次元の基準線FLに対して、以下の働きかけを行っている。
【０００３】
歯ブラシの首に形成される指当て突起部２２を親指と人差し指で把持し、握柄自由端を小指の付け根近辺で支持し、加圧の反作用によって基準線FLの向きをねじる方向に作用するモーメントに抗して、任意の加圧力を機能部３Ａに伝達する。
奥歯の左右側面と上下面、前歯の前面と背面を磨くため、健常者は無意識のうちに歯ブラシをフィンガーグリップで把持し、親指と人差し指の指先で基準線FLを軸心として転がしながら、歯ブラシの向きを３６０度任意の方向に向けたり、手首の曲げや捻り動作で基準線FLの傾きを変えたりして加圧する力の向きを変える。
前記基準線FLの軸線に平行な往復動作、あるいは該軸線に直角方向の往復動作、基準線ＦＬ両端部の平面上での繰り返し円運動動作などの研磨運動を、主として肩と肘の曲げ動作によって機能部３Ａに伝達する。
【０００４】
前記するように基準線FLを操作するには、少なくとも肩と肘と手首および指先の曲げ動作、肘から手首にかけての捻り動作、親指と人差し指による把持力と指先操作が必要で、このなかのひとつの条件が欠けても、前記する三つの要素を満たすことは難しくなる。とりわけフィンガーグリップで把持が難しい障害者や老人、指先の機能が未発達の幼児にとって日常生活用具の使用に困難をきたすことが多い。公知の歯ブラシの首に形成される指当て突起部２２は、前記するとおり基準線ＦＬの軸心に対して３６０度の稼動範囲が必要であるにもかかわらず、断面矩形の一方向だけにしか形成されておらず、前記軸心の向きによっては使いづらくなるので機構上不完全な握柄の器具である。
【０００５】
そこで、日常生活用具を握持・操作しやすくする方法の一例として、握柄の中間部又は先端寄りに、下方に向かって突出する指掛部を設け、指掛部にグリップ部材を着脱自在に圧入装着したスプーンの握柄が提案されている(特許文献１参照)。しかし、スプーンの指賭部とすくい部は固定された位置関係であるため、すくい部の向きを水平に保つためには、肘から先の捻り動作や手首の曲げ動作が可能な身体であることが前提条件になっており、かつ握柄が特殊な形状のスプーンを新たに製造しなければならない。
【０００６】
グリップの横に穴又は切り込みを形成し、この穴又は切り込みに日常生活用具の柄を差し込んで、グリップと柄を直角に近い方向に保持するグリップが公知である(特許文献２参照)。しかし、それぞれの使用者に適合するよう、事前にグリップに対する柄の角度を調節する作業を必要とし、部品数の多い構造の複雑なものであり、洗浄作業が困難で容易に衛生を保って管理することが難しくいずれも十分なものとはいえない。
【０００７】
平成２９年２月１５日付けの消費者庁の発表によると、歯ブラシをくわえたまま転倒し喉を突くなどの事故情報が医療機関ネットワークに寄せられており、平成２２年１２月から平成２８年１２月末までに、６歳以下の事故情報が１３９件報告され、そのうち３歳以下で１７１件となっている、として注意を喚起している。
【０００８】
スプーン、歯ブラシなど日常生活用具には、本来の機能目的以外に、誤って口腔内の奥やのどに進入させることを防止するという安全性が要求される。このため特殊な形状を有する歯ブラシが開発されており、例えば次の技術が知られている。
【０００９】
把持部本体の中間部に、皿状に形成された鍔片を有し、該鍔片は着脱自在であり、かつブラシ部方向にのみ抜くことができる手段を施した乳児用歯ブラシ（特許文献３参照）。  しかしながらブラシの侵入を防止しても該鍔片が前歯に衝突した場合には事故を防げない可能性がある。
【００１０】
柄部の前面側または後面側の特定位置に、特定形状のプレートを形設し、プレートによって歯ブラシが口腔内の奥やのどに進入することが防止し、幅の広いプレートに親指を乗せることができる幼児用歯ブラシ（特許文献４参照）。この場合も前記同様、ブラシの侵入を防止してもプレートが前歯に衝突した場合には事故を防げない可能性がある。
【００１１】
歯ブラシの把持用グリップ部をクローバー状に形成して、口中には絶対入ることのない大きさにし、該グリップ部の把持部の対象の位置で該部と同じ平面上に、口中咽頭部には届かない長さのブラシヘッドを設け、その頭部にブラシ毛を植毛した幼児用歯ブラシ（特許文献５参照）。この場合も前記同様、ブラシの侵入を防止してもプレートが前歯に衝突した場合には事故を防げない可能性がある。
【００１２】
なおかつ、これら3件の幼児用歯ブラシは転倒事故の際に、基準線ＦＬに平行な力で喉を突く事故に対策するものであるが、基準線ＦＬに斜め方向の力で衝突する場合もある（図９参照）。該斜め方向の力が加えられると、該衝突部が力点、歯が支点となる てこの原理 によって作用点の口腔内および歯の支点に寸法Ｌｂを分母、寸法Ｌａを分子とする比率で過大なモーメントが発生し、口腔内を損傷したり歯を折ったりする  こじり事故  への対策にはなっておらず、十分なものとは言えない。また幼児の手の把持力は出生直後から強いものであるが、指先の機能は未発達であり、歯磨き作業で得られる虫歯予防の実効性は乏しい。従って乳幼児に限らず親が仕上げ磨きの作業を行う場合が多い。
【先行技術文献】
【特許文献】
【００１３】
【特許文献１】実公平７−４１４２０号公報
【特許文献２】特開２００２−８５４８６号公報
【特許文献３】実開昭５７−１６２７３２
【特許文献４】特開平１１−７５９３７
【特許文献５】実登３０３４５８０
【非特許文献】
【００１４】
【非特許文献１】河内まき子、2012：AIST日本人の手の寸法データ。ｈｔｔｐｓ：//ｗｗｗ．ｄｈ．ａｉｓｔ．ｇｏ．ｊｐ/ｄａｔａｂａｓｅ/ｈａｎｄ/ｄａｔａ/ｌｉｓｔ．ｈｔｍｌ「寸法項目一覧」のＬ２、Ｌ１６
【非特許文献２】発行、株式会社ワークスコーポレーション「子どものからだ図鑑」２０１３年１０月２日初版第１刷発行  ２７頁、５５頁、６７頁
【発明の概要】
【発明が解決しようとする課題】
【００１５】
本発明が解決しようとする課題は、歯ブラシやスプーンの持ち方や操作方法を検証し、手首や指を自由に動かすことが未熟な幼児、フィンガーグリップの機能の低下した老人や障害者であっても、容易に使用することが可能で、かつ幼児がおしゃぶり的に使用することが多い日常生活用具において、くわえたまま転倒しても負傷事故が起きにくい安全で、安価に製造可能な日常生活用具を提供しようとするものである。
【課題を解決するための手段】
【００１６】
請求項１では、物体の両端を結ぶ線を基準線と定義するとき、該基準線の一端側に歯ブラシやスプーンなどの機能部を配設し、首部を介して他端側に握柄を配設する日常生活用具であり、大別して成人男性用、成人女性用、学齢児童用、幼児用の異なる対象世代に異なる大きさで作られる日常生活用具において、基準線上または該基準線の近傍に中心を有し、異なる対象世代の手の大きさの平均値に比例する直径の球体の握柄を形成し、少なくとも幼児用において機能部の先端から球体までの長さを、幼児の口元から咽頭部に達し得ない長さとなるように構成する日常生活用具のパームグリップ用握柄とした。
【００１７】
請求項２では、直径が手長の平均値の略２９乃至４３％の直径の球体の握柄とする日常生活用具のパームグリップ用握柄とした。
【００１８】
請求項３では、機能部を形成する機能部材と、握柄を形成する握柄部材と、を連結手段で着脱自在に連結一体化して構成する日常生活用具のパームグリップ用握柄とした。
【００１９】
請求項４では、球体の内部に錘を配設する日常生活用具のパームグリップ用握柄とした。
【００２０】
請求項５では、外力で変形しにくい難変形の機能部材と、外力によって容易に変形する易変形の握柄部材と、を連結一体化して構成する日常生活用具のパームグリップ用握柄とした。
【発明の効果】
【００２１】
請求項１において、幼児や成人の手の大きさに応じたパームグリップに適合する径の球体を形成して握柄に配設したので、身体能力としてフィンガーグリップの機能が低下していても、パームグリップが可能であれば日常生活用具の握柄を把持することができる。例えば歯ブラシを使用する場合、３次元の空間で１次元の基準線の傾きや該基準線の軸心に対する機能部の向きが３６０度どのような向きに変化しても、把持部の形状が方向性のない球体であることに変わりがなく、手首を曲げたり捻ったりすることなく、パームグリップのままで基準線に垂直な向きの任意の加圧力を伝達し、加圧力の向きを変え、さらに歯面を磨く研磨動作を伝達する三つの要素を満足することができる効果がある。事前に機能部に対する握柄の角度を調節する作業を必要とせず、多くの構成部品も必要としない単純な構造と形状であり、洗浄作業や衛生管理が容易である。
【００２２】
異なる対象世代の手の大きさの平均値に比例する直径の球体の握柄とすることは特定用途に球体の大きさの握柄を決めるとき、小数の被験者を対象に球体の大きさを求めて、手の大きさの異なる対象世代の異なる大きさで作られる日常生活用具の球体の握柄の設計に反映することができる効果がある。なお段落番号００３４と００３５に記載するように、発明者は対象世代が異なっても、手の寸法形状は比率的な変化があるだけで、統計上基本的に相似形であることを突き止めた。
【００２３】
機能部に作用する力は球体の中心を回転中心とするモーメントとして、該球体球面を把持する指と手の掌の接触部全体に分散して作用する。指先の力が弱っていても、手の掌にボールを包み込むように握るパームグリップによってモーメントを吸収し、機能部が必要とする任意の力を伝達する効果がある。一部の指先を動かせる障害者や老人の場合は従来通り指先で握柄の球体を転がせば、機能部の向きを変えられる。指先が不自由だったり、手首を曲げたりねじることが難しい障害者や老人の場合は、歯ブラシを口にくわえたまま、肘を外側に持ち上げる動作で球体握柄を把持しなおす動作を繰り返すことにより、機能部の向きを任意に変えることができる。従って、パームグリップが可能で、かつ肩と肘さえ動かせれば、指先や手首の曲げおよび手首の捻り機能に障害がある場合でも、機能部を任意の方向に向きや傾きを変えて、歯磨き動作を伝達できるようにする効果がある。
【００２４】
請求項１において、少なくとも幼児用においては機能部の先端から球体までの長さを、幼児の口元から咽頭部に達し得ない長さとなるように配設したので、おしゃぶり的に口にくわえたまま転倒しても球体の握柄が歯ブラシの進入を阻止し、幼児ののど突き事故を防止できる（図９参照）。従来の歯ブラシと同じように基準線ＦＬに斜め方向の力Ｆが加えられる場面でも、握柄の球面がさきに口の周辺に衝突してしまうので、てこの力点の負荷が消滅して、口腔や歯を折損する  こじり事故  の可能性をなくす効果がある。球体は薄い肉厚あっても高い機械強度を保つことができる特性を有するため、球体握柄の肉厚は極限まで薄くして軽量化することができる効果がある。
【００２５】
請求項２において、手長とは手首のしわから第３指先端までの寸法である。直径が手長の平均値の略２８乃％の球体の握柄をパームグリップで持つとき、第１指と他の指を干渉させることなく持ち得る最も小さい球の径であるため、持ちやすくかつ球面のほぼ全領域をパームグリップで覆うことができて、手から落下させにくい安心感を得られる大きさであり、機能部がスプーンやフォークの場合に適する握柄の大きさである。機能部に歯ブラシを配設するときは、スプーンやフォークの場合に比べて球体に発生する回転モーメントが大きくなる。球体の握柄を把持するとき同じ手の握力で大きいモーメントを許容するには、球体の直径を大きくすれば良い。直径が手長の平均値の略４３％以下の球体の握柄であれば、球体をパームグリップで把持しつつ容易に操作することが可能な大きさであり、歯ブラシとして良好に使用できる効果がある。略４３％を超える直径の球体では指のかかりが浅くなり、球体を把持しづらく、操作性に困難を感じるようになる。日常生活用具の種類に応じて機能部の負荷の大きさと、持ちやすさ、および操作のしやすさなど最適のバランス求めて日常生活用具の球体の大きさを決定することができる。
【００２６】
請求項３において、機能部を形成する機能部材と、握柄を形成する握柄部材と、を連結手段で着脱自在に連結一体化して構成することにより、機能部と握柄部の素材を変えたり、製造工程を別にしたりする効果により、製造コストに見合う最適な日常生活用具を提供することが可能になる。また公知の日常生活用具に球体握柄を装着することで、パームグリップ用握柄の日常生活用具に変えることができる。単純な構造でありながら握柄と日常生活用具の取り付け角度を個々の使用者に応じてあらかじめ調節する必要がない。握柄の形状が特殊な専用の日常生活用具を製造する必要もなく、洗浄が容易でフィンガーグリップに支障をきたした障害者や高齢者にとって、毎日の生活に欠かせない日常生活用具となる効果がある。
【００２７】
請求項４において、球体の内部に錘を配設することにより、水平な面に置かれる日常生活用具の基準線の傾きが、水平乃至垂直になるように全体重心を配設することができる。日常生活用具を棚やテーブルに置くとき、機能部がテーブルに触れない状態を維持できるので衛生的であり、棚やテーブル上で転がり動いたりしないので整理収納しやすくなる効果がある。
【００２８】
請求項５において、外力で変形しにくい難変形の機能部材と、外力によって容易に変形する易変形の握柄部材と、を連結一体化するので、幼児用においては機能部材と握柄部材の素材を異なる材質で構成し、例えば握柄部材を硬度の低いゴム素材を用いるなどして、握柄の強度を満足しつつ球体が衝突の衝撃により容易に変形するような強度のバランスを両立させることにより、幼児が日常生活用具を口にくわえたまま転倒して顔や歯を直撃しても、球体自体の変形エネルギーとして衝撃エネルギーを吸収し、衝突の衝撃から顔や歯を守る効果がある。
【図面の簡単な説明】
【００２９】
【図１】本発明の実施例１の側面図（ａ）と正面図（ｂ）である。
【図２】本発明の実施例２の機能部材の側面部分断面図（ａ）と握柄部材の側面部分断面図（ｂ）である。
【図３】本発明の実施例２の図２の機能部材と握柄部材を連結一体化する側面図である。
【図４】本発明の実施例３の機能部材の正面図（ａ）と握柄部材の側面断面図（ｂ）である。
【図５】本発明の実施例３の図４の機能部材と握柄部材を連結一体化する正面図である。
【図６】本発明の実施例４の、公知の日常生活用具を機能部材として用い、本発明の握柄部材に係止連結される状態を示す、側面断面図である。
【図７】本発明の実施例４の図６のＹ-Ｙ断面で、平面部分断面図である。
【図８】本発明の実施例４の図６のＺ-Ｚ断面で、部分断面図である。
【図９】公知の日常生活用具を使用時の幼児頭部断面の説明図である。
【図１０】本発明を使用時の幼児頭部断面の説明図である。
【図１１】公知の日常生活用具を示す説明図である。
【発明を実施するための形態】
【００３０】
以下、本発明の実施の形態を図面に基づいて説明する。なお、本発明は、以下の例に限定されるものではなく、本発明の要旨を逸脱しない範囲で任意に変更可能である。
【実施例１】
【００３１】
図１は日常生活用具のパームグリップ用握柄の実施例１である。基準線ＦＬの一端側ＦＬ３に機能部３を形成し、他端側ＦＬ２に握柄２を形成する。握柄２の球体Ｓの中心Ｔが基準線ＦＬ上に設けられて、球面SSから延出する首部６の先に機能部３がポリプロピレンなどの合成樹脂により一体に形成されている。機能部３には天然毛または化学合成フィラメントの植毛３１が施されて歯ブラシとしての機能を付与される。握柄２の球体Ｓはガスインジェクション成形などにより内部に空洞ＳＣを設けて薄く成形し軽量化することができる。球面SSには滑り止めの凹凸模様を形成してもよい。また滑り止めや装飾効果のため複数の素材で成形することもあり得る。
【００３２】
使用者が側面図（ａ）の矢印Ｆ方向から加圧して歯を磨くとき、機能部の中心FCに作用する加圧による反作用の力は、球の中心Ｔから機能部の中心FCまでの距離Ｌ２の長さに比例するモーメントとして、握柄の球面を回転させようとする力になる。該力の大きさは、球体の直径Ｄを分母とし距離Ｌ２を分子とする値に比例するので、軽い筋力で歯を磨くためには可能な範囲で直径Ｄは大きいほうが好ましい。非特許文献１と非特許文献２の統計資料による手長の平均値と、手長の平均値に一定の比率を乗じて導かれる球体の直径は表１に示される。成人男性で歯ブラシの場合の球体の直径は最大で７９ｍｍとなるが、持ちやすさを重視する場合は７１ｍｍの野球ボールほどの大きさでも有り得る。
【００３３】
【表１】
2018175129.tif 000014
【００３４】
手長以外に例えば手幅や第３指背側長などを基準とする比率で球体の直径を決める方法もあり得るが、本件の要旨を越えるものではない。非特許文献１と非特許文献２の統計資料から得られるデータに基づいて、手長に対する手幅や第３指背側長の比率を計算すると、表２に示すとおり比率に大きい変化は見られず、幼児と成人の手の形状は略相似形であることは明らかである。このことから同じ寸法形状のものが相対的に手の大きさと同じ比率で変化するのであれば、握柄を把持する際の難易度を感じる手の感覚も、異なる対象世代でほぼ同一の感覚で把持する根拠になる。
【００３５】
【表２】
2018175129.tif 000015
【００３６】
非特許文献２の統計資料による頭長の平均値は１６３ｍｍであり、幼児の口元から咽頭部までの深さは頭長の半分の８０ｍｍ前後と推測される。機能部の先端から球面SSまでの距離Ｌ１は、幼児の口元から咽頭部に達し得ない長さとなるよう、距離Ｌ１は好ましくは５０ｍｍを越えないようにする。乳幼児においてはおしゃぶり的に使用される前提で洗浄しやすく衛生を保ちやすい構造と材質にすることが好ましい。成人用の歯ブラシにおいても前記するように軽い握力で歯を磨くためにも、距離L１は６０ｍｍほどに抑えることが好ましく、また６０ｍｍの長さで奥歯を磨くには十分可能な長さである。なおスプーンなどの食器の場合、使用時の該モーメントは十分に小さいので距離L１は６０ｍｍ以上にしても問題ない。
【実施例２】
【００３７】
図２は日常生活用具のパームグリップ用握柄の実施例２である。図２の図（ａ）が外力で変形しにくい難変形の機能部材８で、図（ｂ）は外力によって容易に変形する易変形の握柄部材７であり、連結前の状態を示す。ポリプロピレンなどの材質で成形される機能部材７の機能部３には植毛３１が施されて歯ブラシとしての機能を付与される。  連結部９には雌ネジ部９２が形成されている。握柄部材７はポリエチレンテレフタラートなどの合成樹脂によるブロー成形で、肉厚０．３ｍｍほどに作られており、連結部９には雄ネジ部９１が形成されている。球体の空洞ＳＣには砂または装飾効果を兼ねるビーズが開口部９０から充填されて錘５として機能する。図３は図２の雄ネジ部９１を雌ネジ部９２にねじ込み機能部材８を握柄部材７に螺合連結した状態を示す。砂やビーズによる錘5は球体の下方側に移動した位置に重心を形成するため、日常生活用具１は設置時の機能部を上にする図の姿勢で自立させることができる。設置した面に機能部が触れないので衛生が保たれる効果があり、かつ設置面上で日常生活用具の球面が転がり動いたりすることがなくなる。連結手段としては図示する方法のほかにも、インサート成形や接着等で連結する方法もあり得るが、本件の要旨を越えるものではない。球体内部に正圧のガスを充填し、球面に張力を発生させることによって握柄としての強度と、外力で変形し易くするバランスを調整する方法もあり得るが、本件の要旨を越えるものではない。
【実施例３】
【００３８】
図４は日常生活用具のパームグリップ用握柄の実施例３である。図３の図（ａ）が外力で変形しにくい難変形の機能部材８で、図（ｂ）は外力によって容易に変形する易変形の握柄部材７であり、連結前の状態を示す。機能部材７の機能部３にはすくい部３２が形成されてスプーンとしての機能を付与される。連結部９には嵌挿軸９３と返し部９５が形成されている。握柄部材７の連結部９には嵌挿穴９４を形成する。図５は図４の嵌挿軸９３を嵌挿穴９４に嵌挿して機能部材８を握柄部材に連結する状態を示す。嵌挿軸９３には図示しないエア抜き穴が設けられて、嵌挿穴９４の内部の空気を逃がしながら嵌挿する。握柄部材８をゴム製とし、転倒時に幼児の歯に作用する衝撃を軽くする効果を持たせる。機能部の先端から球面SSまでの距離Ｌ１は、幼児の口元から咽頭部に達し得ないよう、好ましくは５０ｍｍ以下に規定する。連結手段としては図示する方法のほかにも、機能部材７に逆球面の凹部を形成して接着連結する方法もあり得るが、本件の要旨を越えるものではない。
【実施例４】
【００３９】
図６は日常生活用具のパームグリップ用握柄の実施例４である。公知の日常生活用具１Ａを本発明の握柄部材７に係止連結する状態を示す側面断面図である。握柄部材７の球体Sは耐蝕性金属の半球体Ｓ１を半球体Ｓ２に装着して球体を形成する。図7に示すように球体の内部には２枚のブラケット４１ａ、４１ｂが設けられて半球体Ｓ２との接合部Ｓ２ｊを溶着して固着一体化する。２枚のブラケット４１ａ、４１ｂの間には図６の円柱の固定軸４１ｃ、４１ｄと拘束レバー４０を介装し、両端の軸部をブラケット４１ａ、４１ｂ側の穴に嵌挿している。拘束レバー４０の軸部４０ｍは回動自在に装着される。拘束レバー４０には外周の半径が次第に変位するカム面４０ｊが形成されており、軸部４０ｍの中心は固定軸４１ｃの軸心より幅Ｖほど僅かに切り欠き凹部Ｓ２ｈ側に位置する。半球体Ｓ１には当接部材Ｓ１ｃを溶着し、対峙する向きに板バネＳ１ｂを固定軸Ｓ１ａでカシメて固着する。板バネＳ１ｂの幅はブラケット４１ａ、４１ｂの内幅より僅かに狭く、かつ当接部材Ｓ１ｃのガイド部Ｓ１ｃ１の幅Ｗはブラケット４１ａ、４１ｂの外幅より僅かに広く形成する。半球体Ｓ１を図６の想像線の位置に置いて当接部材Ｓ１ｃをブラケット４１ｂの傾斜面４１ｅに当接しつつ半球体Ｓ２側に倒すと、ガイド部Ｓ１ｃ１がブラケット４１ａ、４１ｂの外周部に接触しながら２枚のブラケットの左右対象な位置に誘引され、さらに倒し込むと板バネＳ１ｂのガイド部Ｓ１ｂ２がブラケット４１ａ、４１ｂの内壁部に遊挿されて固定軸４１ｄの表面を滑り、さらに板バネと固定軸４１ｄの摩擦力に抗しながら押圧を加えると、固定軸４１ｄが板バネＳ１ｂの傾斜面Ｓ１ｂ１の側に板バネの復元力で引き込まれて図８の当接面Ｓｗが当接する状態で係合し半球体同士が合体して球面の握柄２を形成する。
【００４０】
握柄部材７に公知の日常生活用具１Ａを係止連結する手順は、図８の切り欠き凹部Ｓ１ｈにコインを差し入れてこじるなどして、図６の想像線の位置に半球体Ｓ１の係合を解除して取り除き、拘束レバー４０を図６の想像線の位置に回動する。半球体Ｓ２の切り欠き凹部Ｓ２ｈの方向から日常生活用具１１Ａの握柄２Ａをブラケット４１ａ、４１ｂの間に挿入し、さらに拘束レバー４０と固定軸４１ｃの隙間に挿入し握柄の端部が半球体Ｓ２の内面に衝突する位置で握柄２Ａを切り欠き凹部Ｓ２ｈに置く。図７の平面視する日常生活用具１Ａとブラケット４１ａ、４１ｂの内壁部や切り欠き凹部Ｓ２ｈとの隙間が均等な隙間になる位置で、拘束レバー４０を図６の想像線の位置から実線の位置に回動すると、カム面４０ｊと握柄２Ａの間の隙間が次第に減少し、やがて握柄２Ａは切り欠き凹部Ｓ２ｈおよび固定軸４１ｃと拘束レバー４０の間に挟持される。従って日常生活用具１Ａと握柄部材７の係止連結には特別な工具を必要とせず、容易に行うことができる。半球体Ｓ１、Ｓ２やブラケット４１ａ、４１ｂには図示しない多数の抜き穴が軽量化と装飾効果を兼ねて設けてあり、洗浄やすすぎ洗いの際の流体の流入と流出経路は十分に確保されている。従って介護施設等で煮沸消毒や洗浄、乾燥などの作業は他の日常生活用具と同時に行うことができる構造である。なお握柄部材７に日常生活用具１Ａを係止連結する構造は実施例の４に限らず、さまざまな構造をとり得るが本発明の要旨を超えるものではない。
【産業上の利用可能性】
【００４１】
従来の握柄に無かった球体の大きい容積を利用して、内部に視覚効果や音響効果の手段を配設し、玩具としての機能を付与することもあり得る。球体握柄の内部に計測器を内蔵して体温や血流を計測する健康器具類に応用できる。
【符号の説明】
【００４２】
１、１Ａ  日常生活用具
２、２Ａ  握柄
２２  指当て突起部
３、３Ａ  機能部
３１  植毛
３２  すくい部
４  係止部
４０  拘束レバー
４０ｊ  カム面
４０ｍ  軸部
４１ａ、４１ｂ  ブラケット
４１ｃ、４１ｄ  固定軸
４１ｅ  傾斜面
６、６Ａ  首部
７  握柄部材
８  機能部材
９  連結部
９０  開口部
９１  雄ネジ部
９２  雌ネジ部
９３  嵌挿軸
９４  嵌挿穴
９５  返し部
Ｄ  直径
FL  基準線
ＦＬ２  他端側
ＦＬ３  一端側
FC  機能部の中心
Ｆ  矢印
Ｌ１、Ｌ２  距離
S  球体
Ｓ１、Ｓ２  半球体
Ｓ１ａ  固定軸
Ｓ１ｂ  板バネ
Ｓ１ｃ  当接部材
Ｓ１ｃ１、Ｓ１ｂ２  ガイド部
Ｓ１ｈ、Ｓ２ｈ  切り欠き凹部
Ｓ１ｂ１  傾斜面
Ｓ２ｊ  接合部
ＳＣ  空洞
SS  球面
Ｓｗ  当接面
T 球の中心
Ｖ、Ｗ  幅
【手続補正３】
【補正対象書類名】図面
【補正対象項目名】図６
【補正方法】変更
【補正の内容】
【図６】
2018175129.tif 000016
【手続補正４】
【補正対象書類名】図面
【補正対象項目名】図７
【補正方法】変更
【補正の内容】
【図７】
2018175129.tif 000017
【手続補正５】
【補正対象書類名】図面
【補正対象項目名】図８
【補正方法】変更
【補正の内容】
【図８】
2018175129.tif 000018